(57)【特許請求の範囲】
【請求項１】
電導線４の一端に、スイッチ接触片３を有し、他端には、静電延長タッチスイッチ５を具備し、前記スイッチ接触片３がカップラー３１を介し、照明灯スタンド本体１の静電タッチスイッチ２に着脱自在になることを特徴とする照明灯スタンド静電延長タッチスイッチ。
【発明の詳細な説明】
【技術分野】
【０００１】
本発明は、照明灯スタンド等の照明灯電源タッチスイッチに関するものである。
【背景技術】
【０００２】
一般事務机、作業机などに置かれている照明灯スタンドのスイッチは照明灯
スタンド本体に包含された一体型である。
【０００３】
そのスイッチは電源の接断操作において、照明灯スタンド本体の静電タッチ
スイッチまで手を伸ばし操作して いるのが通例である。
【０００４】
他に、天井直付型照明器具において、照明灯ランプを制御するタッチスイッ
チユニットから電導性の操作子で接触子とを接続する方法でタッチスイッチが使用されている。
【０００５】
屋内等の通路又は廊下において、通路の脇に手摺があり、その表面にタッチスイッチが固定的に設けられている。
【先行技術文献】
【特許文献】
【０００６】
【特許文献１】特開平５−７４２１８号公報
【特許文献２】特開２００４−３０３６４７号公報
【発明の概要】
【発明が解決しようとする課題】
【０００７】
解決しようとする課題として、一般に照明灯スタンドの置き場所は、一般机上、作業机上で照明範囲内が明るくなる最適場所におかれるが、状況により照明灯スタンドを遠方に置かざるを得ない場合がある。その時、その都度、手を照明灯スタンドの電源スイッチまで手を伸ばさねばならなく、煩わしくて不便さを感じる。
【課題を解決するための手段】
【０００８】
そこで、その煩わしさに鑑み、本発明はその照明灯スタンドを改造することなく、照明灯スタンド本体より離れた場所から、操作することにより、煩わしさを解消する。    
【０００９】
その改善策として、照明灯スタンド本体の静電タッチスイッチ面より、静電電導線（以下電導線という）の一端に設けたスイッチ接触片を介し、延長した電導線の他端に静電延長タッチスイッチを設ける。      
【発明の効果】
【００１０】
既設の機能を損なうことなく、照明灯スタンド静電延長タッチスイッチを必要時にワンタッチ装着することにより、手元至近距離から、照明灯スタンドの電源接、断の操作が容易にできる。更に、カップラーを使用することにより、複数の照明灯スタンド静電延長タッチスイッチの複数使用が可能となり、利便性が向上し、且つ、安価に製造することができる。
【図面の簡単な説明】
【００１１】
【図１】通常の照明灯スタンド静電タッチスイッチの取付け位置がスタンド台上で水平（Ａ）、スタンド柱８で垂直（Ｂ）、スタンド柱８で水平（Ｃ）の外観図である。
【図２】本発明の照明静電延長タッチスイッチの構成外観図である。
【図３】本発明を照明灯スタンドに装着した外観図である。
【図４】本発明を照明灯スタンドの取付け位置が水平の静電タッチスイッチに装着した外観図である。
【図５】ファスナー面付きスイッチ接触片と静電タッチスイッチとの構成外観図である。
【図６】静電タッチスイッチ面が非磁性体の場合、スタンド柱にスイッチ接触片着座を張付けた説明図である。
【図７】静電タッチスイッチ面が非磁性体の場合、スイッチ接触片着座の上にスイッチ接触片を装着した外観図である。
【図８】静電タッチスイッチと磁石を内蔵したスイッチ接触片を接続するためのカップラーの外観図である。
【図９】カップラー表面、裏面ともファスナー面を張付けた外観図である。
【図１０】図８及び図９の双方の機能を持ち合せたカップラーの外観図である。
【図１１】スイッチ接触片を複数個静電タッチスイッチ上に装着した外観図である。
【図１２】静電タッチスイッチ上にカップラーを接続し、それより照明灯スタンド静電延長タッチスイッチを２個縦列接続した説明図である。
【発明を実施するための形態】
【００１２】
本体照明灯スタンド静電タッチスイッチより延長した電導線を介し、照明灯
スタンド本体より離れた場所から静電延長タッチスイッチを指でタッチする
毎に接、断を繰り返すことができる操作を、最小の部品点数で実現した。
【実施例１】
【００１３】
図１は、通常の静電タッチスイッチ付き照明灯スタンド１である。図（Ａ）は静電タッチスイッチ２の取付け位置がスタンド台上で水平のもの、図（Ｂ）はスタンド柱８で垂直のもの、図（Ｃ）はスタンド柱８で水平のもの等があり、これらが一般的である。
【００１４】
図２は、本発明の照明灯スタンド静電延長タッチスイッチである。電導線４の一端にスイッチ接触片３を接続し、スイッチ接触片３には、磁石６を内蔵し、表面の中央部に凹型溝１２を形成し、溝上に電導材９が張設され、電導線４の他端には静電延長タッチスイッチ５が接続され、凸面型を構成している静電タッチスイッチ２の上に、スイッチ接触片３の凹面溝１２をかぶせると 磁石６の磁力により吸着固定され、同時に静電タッチスイッチ２とスイッチ接触片３が接続し、静電気は静電延長タッチスイッチ５まで延びる。静電延長タッチスイッチ５は平板、丸型、球形、等の導電性を有するもの、又は、片面のみの導電性の材質でもよい。  
【００１５】
図３は、本発明を照明灯スタンド本体１にセット装着した一例である。スイッチ接触片３には磁石６が内蔵されている。そのため静電タッチスイッチ２が磁性を有する場合、スイッチ接触片３を手で静電タッチスイッチ２の近傍に置けば、凹面溝１２内に吸着固定される。凹面溝１２は、前記静電タッチスイッチ２の形状に合わせ、その上を電導材９で覆されている。電導材９は、電導線４と接続されているため、前記スイッチ接触片３が静電タッチスイッチ２に吸着固定されると同時に静電タッチスイッチ２よりスイッチ接触片３、電導線４を介し、静電延長タッチスイッチ５まで静電導接続される。
【００１６】
次に、指先を静電延長タッチスイッチ５に触れることにより、人体が持つ静電容量が、手の指を通し電導線４を経由し、スイッチ接触片３から照明灯スタンド本体１の静電タッチスイッチ２に電導し、照明灯スタンドの電源を接にする。再度、指先を静電延長タッチスイッチ５に触れることにより、照明灯スタンド電源スイッチを断にすることができる。以後、静電延長タッチスイッチ５に触れる毎に接、断を繰り返す。スイッチ接触片３はワンタッチ着脱自在であり、静電延長タッチスイッチ５は、電導線長内で任意移動が可能であるため、広範囲の使用ができ、利便性が高い。            
【００１７】
図４は、照明灯スタンド本体１、静電タッチスイッチ２の取付け位置が水平で磁性を有する場合の装着例である。スイッチ接触片３は静電タッチスイッチ２上に、置くだけで磁力により吸着され、同時に電導接続される。スイッチ接触片３は、着脱自在である。はみ出し露出している部分の静電タッチスイッチ２に触れても、従来通りの機能で使用できる。
【実施例２】
【００１８】
図５は、照明灯スタンド本体１の静電タッチスイッチ２が非磁性体である場合、静電タッチスイッチ２が図１の（Ｂ）、図１（Ｃ）の場合にはスイッチ接触片３は凸面状の静電タッチスイッチ２上では、落下して装着できない。その対応として、スイッチ接触片３の表面の一部にファスナー面の片面１１を張設し、中央部には静電タッチスイッチ２面が嵌るように凹面溝１２を形成し、更に凹面溝１２上に電導材９を被せ張設し、電導材９と、電導線４とを接続したスイッチ接触片３を構成したものである。（以下ファスナーは、いずれも裏面で粘着張設する）
前述の静電タッチスイッチ２の取付け位置がスタンド柱８で水平の場合のスイッチ接触片３の対応として、第６図のように静電タッチスイッチ２を挟んだ近傍位置にスイッチ接触片３のファスナーの対面を有するスイッチ接触片着座７を設ける。
【００１９】
次に、スイッチ接触片３を静電タッチスイッチ２に、図７のごとく装着させる。スイッチ接触片３の凹面溝１２を長手方向に凸面状の静電タッチスイッチ２にかぶせ、スイッチ接触片３のファスナー面とスイッチ着座７双方にワンタッチ押付け装着する。ファスナー一対面での接合により固定され、同時に静電導接続となり、静電延長タッチスイッチ５から電源の接、断操作ができる。前述の内蔵磁石と同様、スイッチ接触片３は着脱自在である。
【００２０】
スイッチ接触片３本体の材質が柔軟性を有すれば、静電タッチスイッチ２の接触面の形状に柔軟に適合装着できる。更に柔軟性を有する材質であれば前述の凹面溝１２は無くとも適合装着できる。
【００２１】
スイッチ接触片３本体の材質が電導性を有するものであれば、表面に電導材９を被覆する必要は無く、前記スイッチ接触片３と電導線４を接続する。
【００２２】
スイッチ接触片３は内蔵磁石とファスナー両方を持ち合わせれば磁性体、非磁性体の静電タッチスイッチ２に対応できるため便利である。
【００２３】
電導線４と電導材９とは任意なポイントで接続する。
【実施例３】
【００２４】
静電タッチスイッチ２の面が細く、短く、接触面積の小さい場合には、電導線４を接続しないカップラー３１を使用することにより、単数又は複数のスイッチ接触片３に対応できる。
【００２５】
図８は、磁石内蔵のカプラ−３１である。Ｙ’はカップラーの表側の構成図であり、静電タッチスイッチ２に対応する側である。カップラー内に磁石６を内蔵し、表面の中央部に凹面溝１２を設け、裏面Ｙの中央部に凸面帯１４を設け、それぞれに電導材９を張設し、電導材９とカップラーの表側と裏側を表裏接続導線３５で接続したものである。磁石６の吸引固定により、凹面溝１２に覆した電導材９と、静電タッチスイッチ２とが接合接触する側である。
【００２６】
Ｙはカップラー裏側の構成図であり、スイッチ接触片３に対応する側である。中央に長手方向の凸面帯１4を有し、凸面帯１４側の電導材９と凹面溝１２側とは表裏接続導線３５により接続され、スイッチ接触片３がカップラー３１上に装着されればカップラー３１とスイッチ接触片３とが静電導接続される。   
【００２７】
図９は、表裏にファスナー面を持つカップラー３１であり、Ｙ’はカップラーの表側の構成図であり、カップラー３１の表面中央部に凹面溝１２と裏面の中央部に凸面帯１４を設け、それぞれに電導材９を張設し、それぞれを表裏接続導線３５で接続する。 静電タッチスイッチ２及びスイッチ接触片３をカップラー３１の表裏面に装着させるために、表面の一部にファスナーの片面を、裏面の一部にファスナーの対面を張合わせ構成したものである。カップラー３１自体は薄く柔軟性を有する材質であれば凹面溝１２はなくともよい。静電タッチスイッチ２側に接合する側である。
【００２８】
Ｙはカップラーの裏側の構成図である。カップラー３１とスイッチ接触片３とを確実に接続するため、凸面帯１４は必要である。静電タッチスイッチとカップラーとスイッチ接触片との各接合はファスナーの接着力を利用するものである。静電タッチスイッチ３に接合する側である。大き目のカップラー使用すれば複数のスイッチ接触片２に対応でき複数個の静電延長タッチスイッチが同時に使用でき利便性がある。
【００２９】
図１０は、図８と図９のごとく両方の構成機能を持ち合わせたもので、静電タッチスイッチ２の磁性体と非磁性体のどちらにも対応させたカップラーである。Ｙ’はカップラー表面のＹはカップラー裏面の構成図である。前述の図８、図９の表裏面にファスナー１１、ファスナー１３面と磁石６を内蔵した構成を付け合せたものである。カップラー３１は静電タッチスイッチ２の材質に無関係に対応できる特徴があり、磁性体、非磁性体の変換にも対応でき、利便性がある。
【実施例４】
【００３０】
静電タッチスイッチ２が細長の場合には、図１１のごとくスイッチ接触片２７、スイッチ接触片２８、スイッチ接触片２９を複数並列に装着することにより、静電延長タッチスイッチ２１、静電延長タッチスイッチ２２、静電延長タッチスイッチ２３の何れ側からでも操作できる特徴がある。カップラ−は不用、簡単着脱自在である。
【実施例５】
【００３１】
図１２は、カップラー３１を使用し、２個の照明灯スタンド静電延長タッチスイッチで片方の静電延長タッチスイッチ５と他方の静電延長タッチスイッチのスイッチ接触片３とを重ね合わせ接合したものである。照明灯スタンド静電延長タッチスイッチは接合により縦列接続をなし、延長された２個目の静電延長タッチスイッチ５から電源の接断操作をすることができる。
【産業上の利用可能性】
【００３２】
壁付け照明スイッチ、換気扇等の電源スイッチを臨時的に分岐延長し、多面的に利用ができる。
【符号の説明】
【００３３】
１  照明灯スタンド本体
２  静電タッチスイッチ
３  スイッチ接触片  
４  電導線
５  静電延長タッチスイッチ
６  磁石
７  スイッチ片接触着座
８  スタンド柱
９  電導材
10  磁性体
11  ファスナー片面
12  凹面溝
13  ファスナー対面
14  凸面帯
21  静電延長タッチスイッチＡ
22  静電延長タッチスイッチＢ
23  静電延長タッチスイッチＣ
24  カップラー磁石内蔵型
25  カップラーファスナー張付け型
26  カップラー磁石ファスナー張付け型
27  スイッチ接触片ａ
28  スイッチ接触片ｂ
29  スイッチ接触片ｃ
31  カップラー
35  表裏接続導線
Ｙ  カップラー裏面
Ｙ’カップラー表面
【図１】
0005351115.tif 000002
【図２】
0005351115.tif 000003
【図３】
0005351115.tif 000004
【図４】
0005351115.tif 000005
【図５】
0005351115.tif 000006
【図６】
0005351115.tif 000007
【図７】
0005351115.tif 000008
【図８】
0005351115.tif 000009
【図９】
0005351115.tif 000010
【図１０】
0005351115.tif 000011
【図１１】
0005351115.tif 000012
【図１２】
0005351115.tif 000013